【手続補正書】
【提出日】平成18年1月16日(2006.1.16)
【手続補正１】
【補正対象書類名】特許請求の範囲
【補正対象項目名】全文
【補正方法】変更
【補正の内容】
【特許請求の範囲】
【請求項１】
複数の動画像を記録媒体に記録し、再生する記録再生手段と、
前記動画像毎にその概略画像を、前記動画像から生成する概略画像生成手段と、を有し、
前記記録再生手段は、前記概略画像を生成するために用いる前記動画像の前記記録媒体における記録位置を、概略画像記録位置情報として前記記録媒体に記録する
ことを特徴とする情報記録再生装置。
【請求項２】
請求項１に記載の情報記録再生装置であって、
前記記録再生手段は、前記動画像毎の前記記録媒体における先頭の記録位置を、動画像先頭記録位置情報として前記記録媒体に記録し、
前記概略画像記録位置情報は、前記動画像先頭記録位置情報とは別に記録することを特徴とする情報記録再生装置。
【請求項３】
請求項１又は２に記載の情報記録再生装置であって、
前記概略画像生成手段は、前記概略画像を表示画面上に小画面として表示されるよう生成し、前記記録媒体に動画が複数記録されている場合、前記概略画像を前記表示画面上に小画面として複数表示されるよう生成することを特徴とする情報記録再生装置。
【請求項４】
請求項１乃至３のいずれかに記載の情報記録再生装置であって、
前記概略画像は、動画像であることを特徴とする情報記録再生装置。
【請求項５】
請求項４に記載の情報記録再生装置であって、
前記概略画像は、動画像の再生を繰り返して行うことを特徴とする情報記録再生装置。
【請求項６】
請求項４に記載の情報記録再生装置であって、
前記概略画像は、動画像の再生後、静止画像を表示することを特徴とする情報記録再生装置。
【請求項７】
請求項１乃至６のいずれかに記載の情報記録再生装置であって、
前記概略画像生成手段は、前記動画像の１つから複数の概略画像を生成することを特徴とする情報記録再生装置。
【手続補正２】
【補正対象書類名】明細書
【補正対象項目名】発明の名称
【補正方法】変更
【補正の内容】
【発明の名称】情報記録再生装置
【手続補正３】
【補正対象書類名】明細書
【補正対象項目名】０００６
【補正方法】変更
【補正の内容】
【０００６】
本発明の目的は、前記不具合点を解消し、使い勝手を向上させる情報記録再生装置を提供することにある。
【手続補正４】
【補正対象書類名】明細書
【補正対象項目名】０００７
【補正方法】変更
【補正の内容】
【０００７】
前記課題は、特許請求の範囲に記載の発明によって解決される。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
本発明によれば、使い勝手を向上した情報記録再生装置を提供できる。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００３６
【補正方法】変更
【補正の内容】
【００３６】
次に、文字情報として表示するための文字情報データが特定されていない状態での、ユーザインターフェース部２１４を介した文字情報表示の動作について説明する。当該状態では、前述したように、文字情報記録位置情報３２１に当該状態を表す値が記録されており、本発明による動画音声記録再生装置が当該値を検出した場合、文字情報データ３１１を文字情報データ列３１０に探しに行かないし、また文字情報を表示することも行わない。このとき文字情報表示ができない旨をユーザに通知する画面を表示するようにしてもよい。
実施例の目的の１つは、前記不具合点を解消し、原画像に対する概要を示すような静止画像や付加的内容を表す文字情報が追加されているか否かを効率よく判定できるデータ管理構造を有する記憶媒体ならびに、当該静止画像が追加されていなくても、原画像から静止画像を生成し、出力することで、記録されている原画像の検索の操作性を向上させる動画音声記録再生装置を提供することにある。
この課題を解決するために、実施例の記録媒体は、動画および音声信号を電子的に生成し、当該動画および音声信号に符号化圧縮処理を施し圧縮動画音声データに変換して記録手段により記録し、前記動画および音声信号の概略を表す静止画像あるいは動画像として用いる前記圧縮動画音声データの記録位置情報である概略画像記録位置情報、あるいは、当該概略画像がユーザあるいはシステムで設定されていないことを示す概略画像記録位置情報を記録する。そして、前記動画および音声信号に関する付加的内容を表す文字情報の記録位置である文字情報記録位置情報、あるいは、当該文字情報がユーザあるいはシステムで設定されていないことを示す文字情報記録位置情報を記録する。
また、前記概略画像記録位置情報、および、前記概略画像が設定されていないことを示す概略画像記録位置情報は、情報記録媒体上の同じデータ領域であり、前記概略画像記録位置情報は、前記記録位置情報としてとり得ない値で記録するようにしてもよい。
さらに、前記文字情報記録位置情報、および、前記文字情報が設定されていないことを示す文字情報記録位置情報は、情報記録媒体上の同じデータ領域にあり、前記文字情報が設定されていないことを示す文字情報記録位置情報は、前記文字情報記録位置情報として取り得ない値で記録するようにしてもよい。
また、実施例の動画音声記録再生装置は、動画および音声信号を電子的に生成し、当該動画および音声信号に符号化圧縮処理を施し圧縮動画音声データに変換して記録する手段と、更に当該記録した圧縮動画音声データに伸張処理を施すことにより、テレビ受像機などに出力可能な動画および音声信号を生成する手段と、前記動画および音声信号の概略を表す静止画像あるいは動画像として用いる前記圧縮動画音声データの記録位置情報である概略画像記録位置情報を参照して、圧縮動画音声データを読み出し、概略画像を生成する概略画像生成手段と、当該概略画像記録位置情報が記録位置情報としてとり得ない値であるか否かを判定し、とり得ない値である場合に前記圧縮動画音声データの記録先頭位置情報を当該概略画像記録位置情報として、当該概略画像生成手段に概略画像を生成させる制御手段と、前記動画および音声信号に関する付加的内容を表す文字情報の記録位置情報である文字情報記録位置情報を参照して、前記文字情報を読み出し、文字情報を生成する文字情報生成手段と、当該文字情報記録位置情報が記録位置情報として取り得ない値であるか否かを判定し、取り得ない値である場合に文字情報を読み出しに行かないですむようにする第２の制御手段を有する。また、前記制御手段は概略画像記録位置情報が記録位置情報としてとり得ない値であると判定した場合、前記圧縮動画音声データの記録先頭位置情報を当該概略画像記録位置情報として、情報記録媒体に記録するようにしてもよい。
実施例によれば、サムネールの画像がユーザ、あるいは動画音声記録装置で指定されていない場合でも、サムネール画像を表示することができる。たとえば、ユーザによる指定される前でも、表示可能であり、また、サムネール記録、再生機能のない記録装置で動画音声が記録されてた媒体でも実施例のサムネールインデクスの記録作法で記録することによって、実施例の動画音声記録再生装置では、サムネールを表示することが可能であり、記録した動画音声の検索を効率よく行うことができる効果がある。
さらに、サムネールの対象とする動画音声データを再生単位の先頭となるようにサムネール指定することで、サムネール指定が行われていない場合のサムネール画像を特定するための処理を次回の表示から省くことができ、高速表示が可能となる。
文字情報記録再生機能のない記録装置で動画音声が記録された媒体でも、実施例の文字情報記録位置情報の記録作法で記録することによって、実施例の動画音声記録再生装置では、文字情報を表示することが可能であり、動画音声以外の情報を提供できる効果がある。
また、文字情報として表示するための文字情報データが特定されていない場合には、わざわざ文字情報の有無を確認するため文字情報データ列を検索する必要がないので、文字情報がない旨の高速表示が可能となる。